(57)【要約】【課題】  本発明は、配線部材を挿通したグロメットを簡単にケースに組み付け固定することができる計器装置を提供することを目的とする。【解決手段】  表示器Ｄと、回路基板３と、回路基板３と表示器Ｄとを収納するケース１（１１，１２）と、ケース１２の後面側に形成される開口部１２１と、回路基板３に接続され開口部１２１を介して外部へと引き回し形成される配線部材７と、配線部材７と開口部１２１との間を水密に保つためのグロメット８とを備え、開口部１２１の周縁にグロメット８をケース１２の内側から開口部１２１の外側へと案内可能とするガイド部１２３を設けてなることを特徴とする計器装置における防水構造であり、ガイド部１２３に沿ってグロメット８を誘い込みつつ撓ませながら送り込むことができるため、グロメット８をケース１２の開口部１２１に簡単に嵌め込むことができる。【選択図】  図２
2011021959.tif 000002
【特許請求の範囲】
【請求項１】
表示器と、この表示器の背後に配置され前記表示器が実装される回路基板と、この回路基板と前記表示器とを収納するケースと、このケースの後面側に形成される開口部と、前記回路基板に接続され前記開口部を介して外部へと引き回し形成される配線部材と、この配線部材と前記開口部との間を水密に保つためのグロメットとを備え、前記ケースに設けられた前記開口部に前記グロメットを固定してなる計器装置における防水構造において、前記開口部の周縁に前記グロメットを前記ケースの内側から前記開口部の外側へと案内可能とするガイド部を設けてなることを特徴とする計器装置における防水構造。
【請求項２】
前記ガイド部は、前記開口部に向かって狭まる傾斜面を有することを特徴とする請求項１に記載の計器装置における防水構造。
【請求項３】
前記グロメットの外周縁にフランジ部を設け、このフランジを前記ケースと抑え部材との間に挟んで固定してなることを特徴とする請求項１または請求項２に記載の計器装置における防水構造。
【発明の詳細な説明】
【技術分野】
【０００１】
本発明は、建設機械などの特殊車輌や水上バイク，スノーモービル，船舶、あるいはオートバイなどの計器装置に関し、特に計器装置において、ケースの内部側から外部側へと電気的に引き回し形成される配線部材の防水構造に関するものである。
【背景技術】
【０００２】
この種の計器装置にあっては、たとえば上側と下側とからなるケースの内部に指針による指示を行う速度計や燃料計や温度計などの各種の表示器を収納固定するとともに、各表示器を駆動するための回路基板を収納固定している。また、場合によっては液晶表示装置からなる表示器をケース内に収納固定するとともに、この液晶表示器を駆動するための回路基板をケース内に収納固定している。
【０００３】
また、前記回路基板からケースの外部側へと電気的に引き回し形成するために、回路基板に接続した配線部材である配線コードなどを介してケースに設けた開口部を通じてケースの内部側から外部側へと引き出し形成している。この際、たとえば特許文献１などに記載されているように、配線部材とケースの開口部との間の防水性を保つために弾性部材からなるグロメットに前記配線部材をそれぞれ挿通して水密に保つように構成している。
【先行技術文献】
【特許文献】
【０００４】
【特許文献１】特開平１０ー３３４９８２号公報
【発明の概要】
【発明が解決しようとする課題】
【０００５】
前述した特許文献１などにあっては、配線部材を挿通したグロメットを取付部材であるケースに組み付ける場合、ケースの内部側からケースの開口部を通じて外部側へと引き出し案内する際に、グロメットをケースの開口部に嵌め込んで固定保持するようにしているが、開口部に対しグロメットの外形寸法（凹凸嵌合箇所）が大きいために開口部の大きさに合わせてグロメットを撓ませながら引き出す際にセットしづらいという問題がある。
【０００６】
本発明は前述した問題点に着目し、配線部材を挿通したグロメットを簡単にケースに組み付け固定することができる計器装置を提供することを目的とする。
【課題を解決するための手段】
【０００７】
本発明は、前記目的を達成するため、請求項１では、表示器と、この表示器の背後に配置され前記表示器が実装される回路基板と、この回路基板と前記表示器とを収納するケースと、このケースの後面側に形成される開口部と、前記回路基板に接続され前記開口部を介して外部へと引き回し形成される配線部材と、この配線部材と前記開口部との間を水密に保つためのグロメットとを備え、前記ケースに設けられた前記開口部に前記グロメットを固定してなる計器装置における防水構造において、前記開口部の周縁に前記グロメットを前記ケースの内側から前記開口部の外側へと案内可能とするガイド部を設けてなることを特徴とする計器装置における防水構造である。
【０００８】
このように構成することにより、配線部材を挿通したグロメットをケースの内部側から開口部の外部側へと引き出し案内可能なガイド部をケースの開口部周縁に設けることによってガイド部に沿ってグロメットを誘い込みつつ撓ませながら送り込むことができるため、これによりグロメットをケースの開口部に簡単に嵌め込むことができる。
【０００９】
また請求項１に記載の計器装置における防水構造において、請求項２では、前記ガイド部は、前記開口部に向かって狭まる傾斜面を有することを特徴とするものである。
【００１０】
このように構成することにより、傾斜面に沿って配線部材を挿通したグロメットが引き出し案内されるため、グロメットの組み付け作業を良好に行うことができる。
【００１１】
また請求項１または請求項２に記載の計器装置における防水構造において、請求項３では、前記グロメットの外周縁にフランジ部を設け、このフランジを前記ケースと抑え部材との間に挟んで固定してなることを特徴とするものである。
【００１２】
このように構成することにより、グロメットによって水密に保ちながら抑え部材によりグロメットを強固に固定保持することができるものであり、耐震性に優れ、防水性を良好に保つことができるものである。
【発明の効果】
【００１３】
本発明では、表示器と、この表示器の背後に配置され前記表示器が実装される回路基板と、この回路基板と前記表示器とを収納するケースと、このケースの後面側に形成される開口部と、前記回路基板に接続され前記開口部を介して外部へと引き回し形成される配線部材と、この配線部材と前記開口部との間を水密に保つためのグロメットとを備え、前記ケースに設けられた前記開口部に前記グロメットを固定してなる計器装置における防水構造において、前記開口部の周縁に前記グロメットを前記ケースの内側から前記開口部の外側へと案内可能とするガイド部を設けてなることを特徴とする計器装置における防水構造であるため、ガイド部をケースの開口部周縁に設けることによってガイド部に沿ってグロメットを誘い込みつつ撓ませながら送り込むことができるため、これによりグロメットをケースの開口部に簡単に嵌め込むことができるものであり、初期の目的を達成することができるものである。
【図面の簡単な説明】
【００１４】
【図１】図１は、本発明の実施形態である計器装置を示す正面図である。
【図２】図２は、図１のＡ−Ａ線箇所を示す計器装置の断面図である。
【図３】図３は、図２の組み付け前の状態を示す計器装置の断面図である。
【図４】図４（ａ）、図４（ｂ）は組み付け状態を示す要部の断面図である。
【図５】図５（ａ）、図５（ｂ）、図５（ｃ）は組み付け状態を示す要部の断面図である。
【図６】図６は、ケースの要部を示す正面図である。
【図７】図７は、ケースの要部を示す一部を切り欠き形成した斜視図である。
【発明を実施するための形態】
【００１５】
図１から図６は本発明の第１の実施形態を示すもので、以下、これらに基づいて本発明の実施形態をたとえばオートバイに搭載される計器装置に適用した場合について説明する。
【００１６】
同図において、本実施形態による計器装置においては、中央に速度計からなる表示器である指示計器Ｄと、左側に燃料計、右側に水温計からなるそれぞれの表示器である指示計器Ｄが配置され、指示計器Ｄのそれぞれが外装部材であるケース１（上側のケース１１と下側のケース１２とからなる）内に組み付け固定されている。
【００１７】
この場合、速度計や燃料計、水温計などの各種情報を表示する各表示器である指示計器Ｄにあっては、合成樹脂製の枠状からなるホルダー２の背後に硬質からなる回路基板３が組み付け固定されるとともに、この回路基板３の背後側に各指示計器Ｄの一部を構成する計器本体４がそれぞれ組み付け固定されており、この各計器本体４に設けられた指針軸４ａの先端側に、指針軸４ａを軸芯として回転する指針５がそれぞれ圧入固定されている。
【００１８】
また指針５の背後側に位置したホルダー２の前面側には、目盛や数字や記号などからなる表示部６ａが施された表示パネル６が配設されている。
【００１９】
また回路基板３上には、指示計器Ｄを駆動するための駆動手段である電子部品（図示せず）が実装されるとともに、回路基板３の背面側には下側のケース１２に設けられた開口部１２１を介して外部側へと電気的に引き回し形成するためのコネクタ３１が設けられている。
【００２０】
この回路基板３上のコネクタ３１と連結されるコネクタ３２には、配線部材である配線コード７が接続されるとともに、配線部材（配線コード７）と下側のケース１２に設けられた開口部１２１との間を水密に保つための弾性部材からなるグロメット８が設けられている。この場合、配線コード７とケース１２の開口部１２１との間の防水性を保つためにグロメット８に配線コード７をそれぞれ挿通して構成している。
【００２１】
また表示パネル６の取付固定構造としては、ホルダー２上に表示パネル６を重ね合わせて固定部材であるビスＢによって回し締め固定されている。また、表示パネル６の外周部分である周縁部は外部からの振動の影響を受けないように上側のケース１１と下側のケース１２との間に挟み込んで固定保持するようにしている。
【００２２】
本実施形態におけるケース１は、上側のケース１１と下側のケース１２とからなり、上側のケース１１は、表示パネル７上に設けられた表示部６ａ領域と指針５の指示状態を視認することが可能な透過性の合成樹脂材料からなるカバープレート１１１と、この透明なカバープレート１１１の周縁箇所に不透明な合成樹脂からなる上ケース体１１２とが成形によって一体的に形成されている。
【００２３】
また合成樹脂製からなる下側のケース１２には、そのほぼ中央箇所に前述した開口部１２１が設けられるとともに、ケース１２の底面箇所に補強用のリブ１２２が交差して設けられ、このリブ１２２によってケース１２の底面箇所の剛性を高めるように形成されている。また、この実施形態にあってはリブ１２２の位置に合わせて開口部１２１の周縁部分にグロメット８をケース１２の内側から開口部１２１の外側へと案内可能とするガイド部１２３が設けられている。
【００２４】
この場合、ガイド部１２３には、開口部１２１に向かって狭まる傾斜面１２３ａが設けられている。
【００２５】
なお、この実施形態におけるグロメット８の外周縁にはフランジ８１が設けられ、このフランジ８１をケース１２と金属からなる抑え部材９との間に挟んで固定するように構成しており、固定部材であるビスＢ１により抑え部材９がケース１２に締め付け固定されている。
【００２６】
このように構成された計器装置におけるケースの防水構造においては、以下のように組み付けが行われる。まず最初に上下の各ケース１１，１２間において、下側のケース１２を基準として表示器である各指示計器Ｄが組み付けられる。この際、回路基板３の背後側に表示器である各指示計器Ｄの一部を構成する計器本体４をそれぞれ組み付け固定するとともに電気的に引き回し形成しこの状態にて回路基板３をホルダー２の背後側に組み付け固定する。次いで、ホルダー２の前面側に表示パネル６を配置して組み付け固定し、続いて各計器本体４に設けられた指針軸４ａの先端部に指針５の基部側を圧入固定する。これにより図３などに示すようにホルダー２を基準として計器本体４を組み付けた回路基板３，表示パネル６および指針５を組み付け保持することにより、上側と下側のケース１１，１２からなるケース１内に実装する組み付け部品をユニット化することができるため、組み付け作業の簡易化を図ることが可能となる。
【００２７】
また、回路基板３の背面側に設けられたコネクタ３１と配線部材である配線コード７と接続されたコネクタ３２とを事前に嵌め込んで電気的に引き回し形成することができるように配線処理を施し、図４（ａ）から図４（ｂ）に示すように、下側のケース１２の開口部１２１に配線コード７を挿入する。続いて、この配線コード７を引き出し案内することによって配線コード７を挿通したグロメット８が、図５（ａ）と図５（ｂ）などに示されるように、ケース１２の開口部１２１内側周縁に設けられた傾斜面１２３ａを有するガイド部１２３によって誘い込まれながら案内される。
【００２８】
このようにガイド部１２３に沿ってグロメット８を誘い込みつつ撓ませながら送り込むことができるため、グロメット８をケース１２の開口部１２１に簡単に嵌め込むことができる。その後、図５（ｃ）に示すように、グロメット８の外周縁に設けられたフランジ部８１をケース１２の開口部１２１の縁部にあてがい、このフランジ部８１をケース１２と抑え部材９との間に挟んでグロメット８を固定保持し、固定部材であるビスＢ１を介して抑え部材９をケース１２側に締め付け固定することにより、ケース１２の開口部１２１はグロメット８によって水密に保つことができ、抑え部材９によってグロメット８を強固に固定保持することができるため、耐震性に優れ、しかも雨水などに晒されるという厳しい環境条件化にあったとしても、防水性を良好に保つことができるものであり、組み付け作業を簡便に行うことができる。
【００２９】
また本実施形態にあっては、ケース１２の底面箇所に補強用のリブ１２２を交差状態にして設け、この補強用のリブ１２２によってケース１２の底面箇所の剛性を高めるように形成するとともに、リブ１２２の位置に合わせて開口部１２１の周縁部分にガイド部１２３を一体的に設けることによってケース１２自体の強度を高めながら傾斜面１２３ａを設けたガイド部１２３を構成することができる。
【００３０】
このように下側のケース１２を基準にして表示器である指示計器Ｄと回路基板３およびホルダー２を含むケース１内に実装する組み付け部品を組み付け保持した後、組み付け部品を固定部材であるビスＢによって下側のケース２に締め付け固定し、次いで上側のケース１１を下側のケース１２に被せて密封保持することにより計器装置の組み付け作業が完了する。
【００３１】
なお本発明は、前述した実施形態に限定されるものではなく本発明の要旨の範囲内において種々の変形実施が可能である。たとえば、実施形態にあってはケース１２の開口部１２１の周縁部分に所定の間隔を置いて複数個のガイド部１２３を一体に設けて構成していたが、開口部１２１の周縁の全周に傾斜面１２３ａを有するガイド部１２３を形成しても良いものであり、また傾斜面１２３ａの傾斜角度や高さ寸法など適宜設定すれば良いものである。またグロメット８のフランジ部８１を設ける場合、実施形態にあっては一段の段差からなるフランジ部８１によってケース１２の底面箇所に突き当て配置して設けるように構成していたが、断面コ字状からなるフランジ部を設け、ケース１２の開口部１２１に前記断面コ字形状のフランジ部を嵌め込んで固定保持する構造を採用しても良いものであり、フランジ部の形状などは外部雰囲気中の使用条件などに合わせて種々の変形が可能であり、要するに防水性が保つことができるものであればグロメット８の形状や硬さなどは適宜に変更しても良いものである。
【符号の説明】
【００３２】
１    ケース
２    ホルダー
３    回路基板
４    計器本体
４ａ    指針軸
５    指針
６    表示パネル
６ａ    表示部
７    配線コード（配線部材）
８    グロメット
９    抑え部材
１１    上側のケース
１２    下側のケース
３１，３２    コネクタ
１１１    カバープレート
１１２    上ケース体
１２１    開口部
１２２    補強用のリブ
１２３    ガイド部
１２３ａ    傾斜面
Ｂ，Ｂ１    ビス（固定部材）
Ｄ    指示計器（表示器）
【図１】
2011021959.tif 000003
【図２】
2011021959.tif 000004
【図３】
2011021959.tif 000005
【図４】
2011021959.tif 000006
【図５】
2011021959.tif 000007
【図６】
2011021959.tif 000008
【図７】
2011021959.tif 000009